(57)【特許請求の範囲】
【請求項１】
患者モニタ機能を果たすためのマルチポート送信器と、バックチャネル伝送信号を受信し、受信したバックチャネル伝送信号をそれぞれバックチャネル情報に変換して、前記バックチャネル情報を前記マルチポート送信器に供給する働きをするバックチャネル受信器モジュールとを含み、前記バックチャネル伝送信号が、ページング・ベースの通信チャネルの信号の形で受信され、前記バックチャネル受信器モジュールが、前記マルチポート送信器に対して取り外し可能に取り付けることができることを特徴とする、患者モニタ・システム。
【請求項２】
前記ページング・ベースの通信チャネルに、３０〜５０ＭＨｚの範囲から選択される周波数が含まれることを特徴とする、請求項１に記載の患者モニタ・システム。
【請求項３】
ページング・ベースの通信チャネルに、１５０〜１７４ＭＨｚの範囲から選択される周波数が含まれることを特徴とする、請求項１に記載の患者モニタ・システム。
【請求項４】
ページング・ベースの通信チャネルに、４５０〜５１２ＭＨｚの範囲から選択される周波数が含まれることを特徴とする、請求項１に記載の患者モニタ・システム。
【請求項５】
ページング・ベースの通信チャネルに、８００〜１０００ＭＨｚの範囲から選択される周波数が含まれることを特徴とする、請求項１に記載の患者モニタ・システム。
【請求項６】
複数のノードを備えた通信ネットワークと、前記ノードの１つにおいて動作可能なページング送信システムとが設けられており、前記ページング送信システムは、バックチャネル伝送信号を送信するように操作可能であることを特徴とする、請求項１に記載の患者モニタ・システム。
【請求項７】
前記ネットワークは、もう１つのノードに中央モニタ・ステーションを備えており、前記バックチャネル情報が、前記中央モニタ・ステーションから起こされることを特徴とする、請求項１に記載の患者モニタ・システム。
【請求項８】
患者モニタ用の遠隔測定サブシステムであって、患者モニタ機能を果たすためのマルチポート送信器と、バックチャネル伝送信号を受信し、受信したバックチャネル伝送信号をそれぞれバックチャネル情報に変換して、前記バックチャネル情報を前記マルチポート送信器に供給する働きをするバックチャネル受信器モジュールとを含み、前記バックチャネル伝送信号が、ページング・ベースの通信チャネルの信号の形で受信され、前記バックチャネル受信器モジュールが、前記マルチポート送信器に対して取り外し可能に取り付けることができることを特徴とする、遠隔測定サブシステム。
【発明の詳細な説明】
【０００１】
【発明の属する技術分野】
本発明は患者モニタ・システムに関するものであり、より詳細には、特に病院及び他の施設環境におけるモニタ情報の収集及び利用を容易化するバックチャネルを含む、歩行可能患者モニタ・システムに関するものである。
【０００２】
【従来の技術】
病院及び他の医療施設では、資源を節約して使い、患者看護のコストを最小限に抑え、患者の成果（すなわち、患者の健康状態）を最高にするため、さまざまなレベルの患者看護が行われる。これを達成するために看護医員は、患者のコンディションの深刻さに応じて、病院内のさまざまな看護室間で患者を移動させる。例えば、極めて深刻な患者は、集中看護室（ＩＣＵ）または重傷者看護室（ＣＣＵ）に収容され、次に、中程度の看護室に送られ、等といった形で、患者が退院するまで順次、集中看護の度合の低い環境に移される。医療看護を施すコストが上昇し、こうした医療看護を受ける患者の深刻さが増したことによって、こうした移動式医療看護の実例が急激に発生するようになった。例えば、中程度の看護環境に送られる、深刻さが平均的な患者は、今では過去に比べて深刻さが増している。すなわち、中程度の看護室に送られる患者は今や、過去数年間におけるこうした患者が必要とした看護レベルに比べて集中レベルの高い看護を継続する必要がある。
【０００３】
看護医員がこうした医療看護をうまく実施するためには、各患者に適用される患者モニタは、患者のコンディション、深刻さ、及び場所に応じて、簡単に再構成されなければならない。しかし、歩行不能患者用の従来の患者モニタ・システムは一般に、ベッド・サイド・モニタ環境に配置され、それ専用に用いられる、固定された、専用のベッド・サイド・モニタが用いられた。ベッド・サイド・モニタは通常、壁に取り付けられ、１つのベッドに用いられるように構成され、特定の病院通信ネットワークにハード配線されている。こうした器材は高価であり、従って、一般に不足しており、患者がベッド、病室、または環境間を移動する場合、再構成は容易ではない。
【０００４】
歩行可能患者には、患者が装着する遠隔測定送信器を割り当てて、遠隔測定データが、病院通信ネットワークに接続された遠隔測定アンテナ及び受信器のアレイに伝送されるようにすることが可能である。従来の遠隔測定送信器は、患者が装着して、選択された環境内を自由に動き、なおかつモニタが行えるように設計されている。
【０００５】
バックチャネルとして表される戻り通信チャネルは、中央に配置された送信器から、患者が装着した遠隔測定送信器における適合する受信器への通信リンクを設けるのには役立つ可能性がある。しかし、有効なバックチャネル通信システムを設けて、維持するコスト及び複雑さは、バックチャネルが、遠隔測定送信器を病院内のどこに配置してもそれに届くことを意図されたものである場合にはとりわけ、かなりのものになる可能性がある。結果として、病院にバックチャネル通信リンクが存在しないということになるか、あるいは、バックチャネル通信リンクがあったとしても、病院の一部だけでしか実施されないということになる可能性がある。従って以上のことから、とりわけ遠隔測定送信器が患者に用いられる唯一のモニタ装置である状況では、患者モニタ・システムの汎用性及び有用性が制限されることになるのは明らかである。これらの欠点のため、従来のバックチャネル通信システムは、病院によっては、特に移動看護を行う病院においては、有効というにはほど遠い。
【０００６】
【発明が解決しようとする課題】
こうした欠点を解決するような、遠隔測定送信器におけるバックチャネル受信器の実現が望まれるが、さらに、遠隔測定送信器のコスト、サイズ、重量、及び電力使用量があまり増大しないようにして、こうした受信器を実現することも望まれる。
【０００７】
【課題を解決するための手段】
患者モニタ・システムは、本発明に従って、患者モニタ機能を実施するデータ処理セクションと、バックチャネル伝送信号を受信し、受信したバックチャネル伝送信号を変換して、それぞれのバックチャネル情報を作成し、バックチャネル情報をデータ処理セクションに供給するバックチャネル受信器モジュールを備えた、患者モニタ送信器を含むように構成することが可能であり、この場合、バックチャネル伝送信号は、ページング・ベースの通信チャネルにおける信号の形で受信される。
【０００８】
専用のバックチャネル通信システムを設けることなく、また、マルチポート送信器が、過度の電力量を消費したり、また、従来の遠隔測定送信器に比べてかなり大きくなったり、重くなったり、コストが高くついたりすることなく、本書に説明する多くの利点が実現される。
【０００９】
本発明に関する以上の、そして更なる目的、特徴、及び利点については、添付の図面に示すような本発明の望ましい実施例に関する以下の詳細な説明から明らかになるであろう。
【００１０】
【実施例】
フレキシブルな患者モニタシステム
本発明によれば、遠隔測定送信器のサイズ、重量、コスト、またはバッテリ使用量の大幅な増大を必要とすることなく、改良された患者モニタ・システムにおける適応性を増すことが可能になる。図１及び図２を参照することによって明らかなように、本発明に従って、遠隔測定サブシステム１００及び適応性のある患者モニタ・システム２００を構成することが可能である。遠隔測定サブシステム１００は、実施される患者モニタ・モード、及びサブシステムが動作する特定の環境に応じて、下記のコンポーネントのうちのいくつかが含まれる：主モニタ計器１０１；補助モニタ計器１０２；マルチポート送信器（ＭＰＸ）１１０；遠隔測定ドッキング・ステーション１１１；遠隔測定サブシステム・インターフェイス（例えば、ポータブル・プロセッサ１１２またはポータブル・コンピュータ１１４）；バックチャネル受信器モジュール１１３。
フレキシブルな患者モニタ・システム２００には、遠隔測定サブシステム１００及び下記コンポーネントのうちの１つまたは複数のものが含まれている：中央モニタ・ステーション２０４のようなノードを含む、システム通信ネットワーク２０５；遠隔測定信号受信システム２０３；バックチャネル送信システム２１４。
【００１１】
データ管理及び記録機能を実施し、下記生理学的パラメータの１つまたは複数をモニタするために、主モニタ計器１０１および補助モニタ計器１０２を装備することが望ましい：心電図／呼吸（ＥＣＧ／ＲＥＳＰ）；心電図（ＥＣＧ）；侵襲の血圧（invasive pressures）；体温；非侵襲の血圧（ＮＩＢＰ）；ＳｐＯ２／Ｐｌｅｔｈレベル；二酸化炭素レベル；心臓血液搏出量；ＴｃＧａｓ。
【００１２】
マルチポート送信器（以下ＭＰＸと称する）１１０の第１の望ましい実施例は、選択された複数の生理学的パラメータ、好ましくは、上記リスト・アップされた生理学的パラメータから選択された複数の生理学的パラメータを別個にモニタし、遠隔測定信号における選択されたパラメータを表すデータをシステム通信ネットワーク２０５に伝送する働きをすることが可能である。ＭＰＸ１１０の第１の望ましい実施例は、主モニタ計器１０１、補助モニタ計器１０２、ポータブル・プロセッサ１１２、及びポータブル・コンピュータ１１４から生じるような、外部送信元からのデータを受信するように、また、システム通信ネットワーク２０５に対する後続の、遠隔測定信号の形による伝送のために、受信したデータに処理を施すように、同時に動作することも可能である。ＭＰＸ１１０には、ナース・コール・ボタンの形をとることが望ましい呼び出し信号アクティベータ１１６、直列赤外線（ＳＩＲ）ポートの形をとることが望ましい光学データ・トランシーバ１１７、センサ・システム１１８、データ処理及び信号伝送セクション１１９、及び、電力及びデータ・ポート１２０が含まれている。
【００１３】
バックチャネル受信器モジュール１１３の第１の望ましい実施例は、ＭＰＸ１１０内に組み込むことが可能であり（図１に示すように）、第２の望ましい実施例は、取り外し可能なバックチャネル受信器モジュール２１３として構成することが可能である（図２に示すように）。特に望ましい実施例の場合、バックチャネル受信器モジュール１１３、２１３は、バックチャネル送信システム２１４からページング無線周波数通信帯域で伝送される信号を受信して、変換する操作が可能である。こうしたバックチャネル送信システム２１４には、バックチャネル・コントローラ２１４Ｃ、バックチャネル送信器２１４Ｘ、及び、アンテナ２１４Ａが含まれている。
【００１４】
遠隔測定サブシステム・インターフェイスは、ポータブル・プロセッサ１１２、または、ポータブル・コンピュータ１１４の形で設けられるのが望ましい。ポータブル・プロセッサ１１２の望ましい実施例は、ヒューレット・パッカード社の２００ＬＸパーム・トップ・プロセッサである。ポータブル・コンピュータ１１４は、ノートブック・コンピュータの形で設けられるのが望ましい。ポータブル・コンピュータ１１４の望ましい実施例は、ヒューレット・パッカード社のオムニブック・スーパ・ポータブル・コンピュータである。
【００１５】
ポータブル・プロセッサ１１２またはポータブル・コンピュータ１１４に常駐するアプリケーション・ソフトウェアは、ＭＰＸ１１０送信器に関する制御及びインターフェイス機能を提供する。ポータブル・プロセッサ１１２またはポータブル・コンピュータ１１４を操作するソフトウェアは、好ましくはメモリ・カードＣ（ＰＣＭＣＩＡカードのような）の形をとった、プラグ・イン・メモリ・モジュールを介してインストールすることが可能である。例えば、ポータブル・プロセッサ１１２は、プログラムが実行され、制御及びデータ信号を転送するための通信リンクが設定されると同時に、ＭＰＸ１１０送信器との通信を自動的に開始することができる。企図された通信リンクは、光ビームＬを介した、あるいは、光ファイバ・ケーブル１２２を介した、光通信トランシーバの形をとるのが望ましい、第１のデータ・ポート１２１によって実施することが可能である。代替案として、通信リンクは、多心データ及び電力ケーブル１２３Ａのデータ部分に結合された直列型データ・インターフェイスの形をとるのが望ましい、第２のデータ・ポート１２３において実施することが可能である。電力は、直流入力ジャック１２４へ接続される多心のデータ及び電力用ケーブル１２３Ａの電力ケーブル部分を介して、ポータブル・プロセッサ１１２に送ることが可能である。
【００１６】
遠隔測定ドッキング・ステーション１１１の第１の望ましい実施例には、遠隔測定ドッキング・ステーション１１１とＭＰＸ１１０の間の電力線Ｐ及びデータ経路Ｄ１、Ｄ２を接続するための第１のデータ及び電力ポート１２０Ｂが含まれる。電力は、永久電源（例えば、ＡＣコンセント）から、ＡＣ／ＤＣ変換器１２５を介して、電力調整回路１２６及び分離回路１２７を通じて、遠隔測定ドッキング・ステーション１１１に供給することが可能である。追加電力線Ｐ及びデータ経路Ｄ３が、第２のデータ及び電力ポート１２８を介して、ポータブル・プロセッサ１１２またはポータブル・コンピュータ１１４に接続される。追加データ経路Ｄ４は、モニタ計器多心ケーブル１３１Ａまたは１３１Ｂの接続が可能な第１のデータ・ポート１３２を介して、主モニタ計器１０１または補助モニタ計器１０２に接続される。多心ケーブル１２３Ａ、１３１Ａ、１３１Ｂを介して転送されるデータは、ヒューレット・パッカード社のＭＥＣＩＦインターフェイス規格のような、標準的な直列型データ・インターフェイス・プロトコルに従ってフォーマットされるのが望ましい。
【００１７】
分離回路１２７は、分離され、調整された電力をＭＰＸ１１０、ポータブル・プロセッサ１１２、及びポータブル・コンピュータ１１４に供給するので、これによって、信頼できる、分離された電力が得られることになり、これらの装置を動作させるのに、内部バッテリのような他の電源が必要でなくなる。分離回路１２７はまた、ＭＰＸ１１０、ポータブル・プロセッサ１１２またはポータブル・コンピュータ１１４、主モニタ計器１０１、及び補助モニタ計器１０２間において電気的に分離されたデータ転送を可能にする。遠隔測定ドッキング・ステーション１１１は携帯できるように、ポータブル・プロセッサ１１２と同様の、コンパクトで、軽量で、偏平な形状要素を付与するのが望ましい（例えば、約１６×９×３ｃｍといった、コートのポケット内の寸法より小さいか、またはそれと同等の寸法）。
【００１８】
図２に詳細に示すように、ＭＰＸ２１０の第２の望ましい実施例には、それぞれＥＣＧモニタ及びＳｐＯ２モニタの形で設けられた、第１と第２の生理学的モニタ・セクション２１６Ａ、２１６Ｂが含まれている。（追加または代替モニタ・セクションの利用は、必要に応じて、非侵襲の血圧パラメータ（ＮＩＢＰ）モニタ、脳波モニタ、及び他の適合する生理学的モニタのように、本発明の教示内に含まれるものとして企図されている。）第１の生理学的モニタ・セクション２１６Ａは、センサ２２０によって患者２１８に接続することが可能である。例えばＥＣＧモニタの場合、センサ２２０は患者の胸部に取り付けられた電極に接続される。後述するように、センサ２２０の導体のいくつかは主モニタ計器２２１に対するデータ通信リンク２２０Ａとして用いることも可能である。
【００１９】
モニタ・セクション２１６Ａ、２１６Ｂによって引き出されるセンス信号は遠隔測定プロセッサ２２２に送られる。当該遠隔測定プロセッサ２２２は、センス信号を中央モニタ・ステーション２０４への送信に適した遠隔測定信号に変換するための、適切なプログラミングが施されたマイクロプロセッサを含んでいることが望ましい。遠隔測定プロセッサ２２２には、信号インターフェイス回路、信号処理回路、電源セクション、及び患者２１８またはＭＰＸ２１０の動作に関する選択された情報を記憶し、検索するためのメモリ・セクションを含むことも可能である。遠隔測定プロセッサ２２２には、エラー・チェック、自己テスト等のような他の処理機能を実施するプログラミングも施される。
【００２０】
遠隔測定信号は、遠隔測定プロセッサ２２２から周波数合成送信器２２４に出力され、適切な出力素子２２６から放送される。病院における遠隔測定の必要に応じて、送信器２２４及び出力素子２２６は、無線周波数（ＲＦ）帯域の選択された周波数で放射するように構成することが可能であり、出力素子２２６はセンサ２２０に組み込むこともできるし、あるいはＭＰＸ２１０に別様に設置することも可能である。送信器２２４及び出力素子２２６の代替実施例は、例えば赤外線周波数のような、光伝送帯域の選択された周波数で放射するように構成することも可能である。
【００２１】
出力素子２２６によって送り出される遠隔測定信号は、病院内に適切に配置された、複数の受信素子２２８及び遠隔測定受信器２３２のうちの１つによって受信される。複数の遠隔測定受信器２３２によって捕捉された遠隔測定信号は、遠隔測定受信器インターフェイス２３３に供給されて、ネットワーク遠隔測定データに変換され、直列型通信コントローラ（ＳＣＣ）の形をとるのが望ましいネットワーク・コントローラ２３０に転送される。ネットワーク遠隔測定データはさらに、中央ステーション２０４のようなネットワーク２０５の他のノードに転送することも可能である。こうしたノードは、ローカル・ノード、すなわち患者２１８に近い場所にあるノードとみなすことができ、他のノードは、かなり遠くに配置することが可能である。ネットワーク２０５のローカル・ノードは、適合するデータ端末、ワークステーション等を設けて、診療または外科施設、医師のオフィス、病院の薬局、診断検査室、データ処理及び記録保存センタ、及び病院内の同様の部門または場所におけるネットワーク・ノードにて、病院の職員がネットワーク遠隔測定データを利用することができるように企図されている。更に、パスワードで保護された安全な接続を、電話及び無線ネットワークのような、病院外の通信ネットワークに対して行うことにより、許可された者は遠隔ノード（すなわち、病院外に配置されたノード）からネットワーク遠隔測定データにアクセスすることができる。
【００２２】
遠隔測定ネットワーク・データは、ネットワーク２０５の任意のノードにおいて処理することが可能である。例えば、中央モニタ・ステーション２０４は、患者情報を取り出すために更なる処理を実施することも、こうした情報を一時記憶装置またはバルク記憶装置２３６に選択的に記憶することが可能である。中央モニタ・ステーション２０４は、こうした患者情報を表したイメージを１つまたは複数のディスプレイに選択的に表示することが可能である。例えば、中央モニタ・ステーション２０４にアクセスする医員は、患者の関連する生理学的コンディションをモニタして、対応することが可能である。
【００２３】
ＭＰＸ２１０は、第１、第２、及び第３のポート２４０Ａ、２４０Ｂ、２４０Ｃを操作する入力／出力（Ｉ／Ｏ）セクション２４０を特徴とする。例えば、第１のポート２４０Ａは、ＩＲ送信器を含み、ヒューレット・パッカード社の設計した直列赤外線（ＳＩＲ）データ送信プロトコルに準拠したポートのような、ワイヤレス送信器データ・ポートとすることが可能である。こうした第１のポートは上述のように、ポータブル・プロセッサ２１２に設けられた１つまたは複数のＳＩＲ受信器とインターフェイスする。第２のポート２４０Ｂは、遠隔測定ドッキング・ステーション２１１にそれぞれのポート２４２Ａにおいて直接接続することが可能であり、ＭＰＸ２１０と遠隔測定ドッキング・ステーション２１１の間の電力及びデータ通信インターフェイスとして機能する。第３のポート２４０Ｃは後述のように、バックチャネル受信器モジュール２１３に接続することが可能である。
【００２４】
遠隔測定ドッキング・ステーション２１１には、第１、第２、及び第３のＩ／Ｏセクション２４２、２４６、２４８と、それぞれのポート２４２Ａ、２４６Ａ、２４８Ａが含まれている。電力分離セクション２５０及び電力調整セクション２５２は、病院の主電気システムのような永久電源（図示せず）に接続可能である。第２のＩ／Ｏセクション２４６は、補助モニタ計器２０２に対するデータ・インターフェイスの働きをする。第３のＩ／Ｏセクション２４８及びポート２４８Ａは、ポータブル・プロセッサ２１２のＩ／Ｏセクション２５６及びポート２５６Ａに関して動作可能なデータ・インターフェイスの働きをする。ポート２４８Ａ及び２５６Ａは、赤外線トランシーバ・ポートの形で設けられるのが望ましい。
【００２５】
フレキシブルな患者モニタ・システムの再構成
フレキシブルな患者モニタ・システム２００は、少なくとも次の４つのモードで動作するように構成することが可能である：
１）ＭＰＸ２１０が他のモニタ計器とは別個に動作し、内部の電源から電力を供給する着装携行式遠隔測定モード；
２）ＭＰＸ２１０が、データ及び電力のトランスファーのために遠隔測定ドッキング・ステーション２１１に接続される、ドッキング遠隔測定モード；
３）ＭＰＸ２１０と、主モニタ計器２０１または補助モニタ計器２０２が、その間におけるデータ転送のために互いに接続される、単一計器遠隔測定モード；
４）ＭＰＸ２１０と、主モニタ計器２０１または補助モニタ計器２０２が、その間におけるデータ転送のため（任意に、ＭＰＸ２１０に電力を送るため）、遠隔測定ドッキング・ステーション２１１に取り付けられる、ドッキング計器遠隔測定モード。ポータブル・プロセッサ２１２は、着装携行式遠隔測定モードにおけるＭＰＸ２１０にも光学的に接続することが可能である。ポータブル・プロセッサ２１２（またはポータブル・コンピュータ１１４）は、データ及び電力を送るために、任意に、ドッキング遠隔測定モードまたはドッキング計器遠隔測定モードにおける遠隔測定ドッキング・ステーション２１１に接続することも可能である。
【００２６】
例えば、ＭＰＸ２１０が計器遠隔測定モードで動作する場合、オペレータはベッド・サイドで主モニタ計器２０１に表示される計器遠隔測定構成フレームを用いて、ネットワーク２０５にどんな主モニタ・データを送るべきかを決定することができる。データは主モニタ計器２０１からＭＰＸ２１０に転送され、ＭＰＸはデータを受信すると、マルチプレクスし、圧縮し、書式化して、遠隔測定信号として遠隔測定信号受信システム２０３にそのデータを伝送する。遠隔測定信号受信システム２０３に設置された受信器が遠隔測定信号を受信し、ネットワーク２０５を介して伝送されるようにするために、遠隔測定受信器インターフェイス２３３が、適合するプロトコルを利用して、遠隔測定信号をネットワーク・データ・メッセージに変換する。フレキシブルな遠隔測定システム２００は、これによって、ＭＰＸ２１０（またはＭＰＸ２１０に接続された計器）から、中央モニタ・ステーション２０４が占有するノードのようなネットワークの任意のノードに、患者モニタ・データ、制御信号、警報信号、及び他の情報を転送することが可能になる。
【００２７】
特に、ＭＰＸ２１０はポータブル・プロセッサ２１２、ポータブル・コンピュータ１１４、主モニタ計器２０１、及び補助モニタ計器２０２とネットワーク２０５とのワイヤレス接続を可能にする。さらに、ＭＰＸ１１０が、ポータブル・プロセッサ２１２、ポータブル・コンピュータ１１４、主モニタ計器２０１、及び補助モニタ計器２０２から受信するデータは、ネットワークのハード配線による接続を必要とせずに、患者の場所でモニタすることが可能である。
【００２８】
通信ポートの多重性のため、ＭＰＸ２１０は、着装携行式遠隔測定モード、ドッキング遠隔測定モード、単一計器遠隔測定モード、およびドッキング計器遠隔測定モードへの再構成を容易に行うことが可能である。このフレキシビリティによって、患者モニタ・システム２００は、患者２１８が受信素子２２８によってサービスが受けられる病院の任意のエリアの間に居たり、移動したりする間に、再構成を行うことが可能になる。この再構成を実施しながら、なおかつ関連する患者の生理学的コンディションの連続モニタを行うことが可能である。結果として、患者モニタ・タスクは、いっそうフレキシブルに、かつ安価に実施されることになり、患者のベッド移動コストが低下し、モニタできる患者の数及び鋭敏さは、従来の患者モニタ・システムの場合より増大することになる。
【００２９】
遠隔測定信号には、伝送されるデータ・タイプのみならず、モニタ・モードに関する状況情報が含まれるのが好ましい。遠隔測定信号受信システム２０３には、受信したデータが着装携行式遠隔測定データであるか、計器遠隔測定データであるかを判定し、受信した遠隔測定データをネットワークにおける伝送に適した形式にフォーマットするためのデータ収集ソフトウェア・モジュールが含まれている。例えば中央モニタ・ステーション２０４は、データが着装携行式遠隔測定モードと計器遠隔測定モードのいずれにおいて得られた情報を表しているかに従って、中央モニタ・ステーションに異なるユーザ・インターフェイスが表示されるようにフォーマットされた遠隔測定データを受信することが可能である。もう１つの例として、主モニタ計器２０１からの記録要求は、ネットワーク２０５の種々のノードによって支援されるさまざまなタイプの記録にフォーマットすることが可能である。
【００３０】
着装携行式遠隔測定モードの操作のいくつかの例のなかで、遠隔測定ドッキング・ステーション２１１を利用する必要がないように、ポート２５６Ａ及び２４０ＡのＩＲトランシーバを介して、ＭＰＸ２１０とポータブル・プロセッサ２１２を結合する方法が有利である。２つの装置（ＭＰＸ２１０及びポータブル・プロセッサ２１２）は、物理的に結合して、単一のポータブル・パッケージを形成することも可能である。必要があれば、ポート２４０Ａ、２４８Ａ、または２５６Ａの適合する端子間に光ファイバ・ケーブル２４４を接続して、Ｉ／Ｏセクション２４０、２４８、または２５６間において光密伝送を実施することも可能である。
【００３１】
ポータブル・プロセッサ２１２には、液晶ディスプレイまたは他のタイプのフラット・スクリーン・ディスプレイの形をとるのが望ましいデータ出力装置２５８、キーボード２６０のようなデータ入力装置、及びマイクロプロセッサ・セクション２６２が含まれている。Ｉ／Ｏセクション２５６は、マイクロプロセッサ２６２との間で情報通信を行う働きが可能である。情報を記憶するためにマイクロプロセッサにメモリ・セクションを設けることによって、受信データに対して選択された処理タスクを実施するようにマイクロプロセッサにプログラミングすることが可能になる。例えば、ＭＰＸ２１０から得られるある表現による遠隔測定データがディスプレイ２５８に表示され、この表現の種類は、データ入力装置２６０において入力されるコマンドまたは質問に基づいて、ユーザによる変更が可能である。ユーザは、ＥＣＧ波形、送信器周波数チャート、傾向グラフ、または他の有用な情報を含む、さまざまな表現から選択することが可能である。図２には特に表示されていないが、ポータブル・プロセッサ２１２は、マイクロフォン、ローラ・ボール、タッチ・スクリーン、ペン・ベースの入力パネル等のような、他の形態のデータ入力装置を組み込むか、またはこれらを適応するものとして企図されている。同様に、ポータブル・プロセッサ２１２は、可聴信号を発音するアナンシエータ、または音声を再生する音響変換器のような他の形態のデータ出力装置を組み込むことが可能である。当該技術において周知のように、ポータブル・プロセッサ２１２には、拡張メモリ・カード、ファクシミリ／モデム・カード等のような、他の処理タスクの作業を実施するためのコンポーネント（図示せず）を組み込むことも可能である。
【００３２】
キーボード入力は、入力されたものであれ、プロセッサ２６２によって修正されたものであれ、Ｉ／Ｏポート２５６を介してＩ／Ｏポート２４２へ、また、Ｉ／Ｏポート２４０から遠隔測定プロセッサ２２２に供給することが可能である。こうした入力は、例えば、モニタ・セクション２１６Ａ、２１６ＢによるＥＣＧモニタのモードを、診断モードと質の監視モードを切り替えるコマンドを表すことも可能であり、モニタ・セクション２１６Ａ、２１６Ｂが、さまざまな生理学的コンディションの変化のモニタに適応する場合、モニタされるコンディションを変更することも可能である。モニタ・セクション２１６Ａ、２１６Ｂからの出力は、キーボード２６０から入力されるコマンドに従って、遠隔測定プロセッサによって処理することが可能である。キーボード２６０から入力されるデータは、プロセッサ２６２、Ｉ／Ｏセクション２５６、２４８、２４２、及び２４０、及び遠隔測定プロセッサ２２２を介して送信器２２４に送り、中央モニタ・ステーション２０４に伝送されるようにすることも可能である。例えばこうしたデータは、１つまたは複数のフレキシブルなモニタ・システム２００のコンポーネントについて診断ルーチンを実施するのに利用することも可能である。
【００３３】
バックチャネル通信
バックチャネル受信器モジュール２１３は、できればポート２４０Ｃにおいて、ＭＰＸ２１０に取り外し可能に取り付けられる。バックチャネル受信器モジュール２１３には、通信及び電力ポート２１３Ａ、バックチャネル受信器２７０、及び、受信アンテナ２７２が含まれている。ネットワーク２０５のいかなるノードから発生するデータも、バックチャネル通信コントローラ２１４Ｃに送ることにより、特定のバックチャネル受信器モジュール２１３に対するアドレス指定可能な伝送が可能になる。すなわち、バックチャネル送信器２１４Ｘによって送られる各メッセージには符号化アドレスが含まれているので、その意図するところのバックチャネル受信モジュール２１３だけが、該メッセージの受信及び利用を行う。メッセージは、受信され、変換されると、ＭＰＸ２１０のＩ／Ｏセクション２４０に供給される。
【００３４】
バックチャネル受信器２７０は、内部バッテリ電源で動作することもできるし、あるいは代替案として、通信及び電力ポート２１３Ａを介して供給される電力によって動作することも可能であるが、こうした電力の発生源としては、ＭＰＸ２１０または他の遠隔測定ドッキング・ステーション２１１が考えられる。バックチャネル受信器２７０及び受信アンテナ２７２を構成する必要な回路構成及びコンポーネントは、既知の遠隔通信受信器技術に基づいて、極めてコンパクトで、重量が軽く、大変小さな消費電力のパッケージ構造とすることが可能である。
【００３５】
ＭＰＸ２１０にバックチャネル受信器モジュール２１３を取り付けることによって、ネットワーク２０５のノード（例えば、中央モニタ・ステーションまたは同様の端末）において、医員が、適切な入力装置で情報（例えばデータまたはコマンド）を入力し、バックチャネル送信システム２１４を介してＭＰＸ２１０またはポータブル・プロセッサ２１２に情報を送ることが可能になる。例えば、こうした通信は、キーボード２６０で入力された看護医員からの入力または質問に応答することが可能である。同様に、ネットワーク２０５に接続された他のモニタ計器、データ処理または記憶装置、及び他の制御及び通信装置は、バックチャネル受信器モジュール２１３と通信することが可能である。
【００３６】
上述のように、バックチャネル受信器モジュール２１３のとりわけ望ましい実施例は、ページング送信システムを介したバックチャネル通信を支援するように構成されている。大部分の地域社会では既に、１つまたは複数の「広域」ページング送信システムを用いて、ページャとして既知のポータブル式ポケット・サイズ受信器との通信を行っている。従って、バックチャネル受信器モジュール２１３は、任意の既存のページング送信システムを利用して、ネットワーク２０５とＭＰＸ２１０との間で安価な双方向通信が行えるように構成される。特に、大部分の病院では、病院での利用のために装備され、それ専用である「ローカル・エリヤ」・ページング・システムを既に用いており、病院の職員の多くがページャを携行している。病院の職員は既に、他の目的でポータブル・プロセッサ２１２及びポータブル・コンピュータ１１４を携行しており、将来携行する職員がますます増大することになるので、追加装置の費用をあまりかけなくても、また、こうした病院及び医員が既に実施しているやり方をあまり変更しなくても、本発明の利点は実現されることになる。
【００３７】
システム構成及び患者モニタの動的制御
さらに、フレキシブル・モニタ・システム２００によって実施される患者モニタの特徴と機能、及びシステム構成において動的制御が実施されるのが、本発明特有の特徴である。こうした機能のいくつかは、ユーザの介入や、従来の患者モニタ・システムの１つまたは複数のコンポーネントの再構成を必要とした。この説明のために、動的制御で明らかにしようとするのは、フレキシブル・モニタ・システム２００によって実施される、１つまたは複数の特徴、機能、またはタスクに対するネットワーク・ベースの、システムによって生じる制御である。こうした特徴、機能、またはタスクには下記のものが含まれる。
【００３８】
ＭＰＸ２１０または遠隔測定ドッキング・ステーション２１１に利用可能な電力状況、バックチャネル送信器の信号強度（バックチャネル受信器モジュール２１３が受信する）、ＭＰＸ２１０の送信器２２４の周波数または信号強度、または、現在モニタされている生理学的コンディション（ＥＣＧ、ＳｐＯ２等）、などの遠隔読み取りといったサービス・モード。サービス・モード情報は、要求のある場合に限って取得するため、遠隔測定送信帯域幅は、患者データの伝送のために保護する。本発明の企図する特定のサービス・モードには、バックチャネル送信システム２１４及びバックチャネル受信器モジュール２１３を介して、ネットワーク２０５のノードから新しいＰＲＯＭコードを伝送し、図３に示すＥＥＰＲＯＭ３５４のようなメモリ・デバイスへダウンロードすることも含まれる。
【００３９】
ネットワーク・ノードが、しきい値または他の測定値のような構成データ及びセッティング（すなわち、ノッチ・フィルタ、ＳｐＯ２、サンプル・レート、及び、周波数チャネル）、または、システム情報（すなわち、ファームウェア／ハードウェア版番号及び通し番号）について照会し、あるいは、状況ログのような記録を読み、または編集することが可能な、ＭＰＸ構成の照会。代替案として、病院職員がポータブル・プロセッサ２１２を利用して、システム起動照会を受信して、応答し、システムの応答を見ることも可能である。
【００４０】
ＭＰＸ２１０またはポータブル・プロセッサ２１２の変換器を介して警報信号（例えば、トーン）または音声信号を発生するか、あるいは、ポータブル・プロセッサ２１２のディスプレイ２５８にテキスト・メッセージを表示することによる、患者または看護医員に対する警報またはメッセージの伝達。
【００４１】
それぞれが病院内の固定された既知の場所に空間的に分離された複数のバックチャネル送信システム２１４からの信号の伝送を通じて行われ、信号の強度及び遅延の測定によってフォローされる、ＭＰＸの位置（従って、患者の位置）の測定。
【００４２】
データがＭＰＸ２１０から送られる前に、遠隔測定プロセッサ２２２において、リード選択（lead selection）及び送信器リード・フォールバック（transmitter lead fallback）を実施することが可能である。また、この固有機能によって遠隔測定データの送信に必要な帯域幅が保護され、ＭＰＸが、他のパラメータを送信し、あるいはフォワード・エラー補正（forward error correction）を改善することが可能になる。
【００４３】
冗長度が１００％の波形の伝送のような、情報の冗長伝送。これによって、システムが多重路フェージングによって生じる遠隔測定伝送のドロップ・アウトを補償することが可能になる。
【００４４】
伝送経路の電力損失に基づく送信器２２４の放射電力レベルの動的電力制御。最悪の場合の損失を克服するのに十分な高電力で送信するよりもむしろ、この固有機能を働かせることによって、平均電力消費を最小限に抑えることが可能になり、従ってバッテリの寿命が大幅に延びる。
【００４５】
種々の選択によって、ネットワーク・ノードは、２つの空間的に分離された出力素子２２６の一方、例えば、センサ２２０に統合されたアンテナと、ＭＰＸ２１０のハウジングに組み込まれたもう１つのアンテナのどちらかによって伝送するように、送信器２２４に命じることができる。
【００４６】
単一周波数を複数のＭＰＸ２１０に割り当てることによって選択された送信周波数の再利用。こうした再利用は、周波数の空間（セルラ）割り当てによって実施されるように企図されており、各ＭＰＸ２１０は、チャネル干渉を克服するため、他のＭＰＸから十分な距離をあけて配置される。こうした再利用はまた、複数のＭＰＸ２１０から１つの伝送チャネルに送り込まれるデータの時分割多重化を含むように企図されている。この固有機能によって、１つの遠隔測定受信器２３２がサービスを行うことができるチャネル数が急激に増大し、フレキシブル患者モニタ・システム２００が、伝送チャネル毎に多数の患者をモニタすることが可能になり、チャネル干渉によって生じるエラーが減少する。
【００４７】
ユーザが介入することなく送信器２２４の周波数を変更するための、別様であればコストが高くつき、時間を浪費するであろう、送信周波数（送信チャネル）の選択。
【００４８】
短時間のドロップ・アウト（多重路フェージングによる）を補正するための、データ交換プロトコルに従ったエラー制御。例えば、ＭＰＸ２１０はメッセージを送り、正確な受信を確認するバックチャネル・コントローラ２１４Ｃからの返送メッセージを待つ。確認したという応答を受信しなければ、ＭＰＸ２１０はメッセージを反復することが可能である。
【００４９】
マルチポート送信器による信号処理及びデータ送信
図３には、ＭＰＸ１１０の信号処理及びデータ送信セクション１１９において動作可能な主ボード３００の望ましい実施例に関する全体ブロック図が示されている。主ボード３００には、５つのサブセクション、すなわち、１組のＥＣＧフロント・エンド、ＳｐＯ２モニタ、アプリケーション専用集積回路（ＡＳＩＣ）、デジタル信号プロセッサ（ＤＳＰ）、及び電源セクションが含まれているものとみなすことができる。
【００５０】
ＡＳＩＣ３１０は、少なくとも４つの外部信号インターフェイス（送信器２２４の出力は含まない）によって動作可能である。第１と第２のインターフェイス・ライン３１１は、遠隔測定ドッキング・ステーション２１１に接続され、第３のインターフェイス・ライン３１３は、直列赤外線ポート（ＳＩＲ）３１５に接続され、第４のインターフェイス・ラインは、患者センサ（Ｖ、ＲＡ、ＬＬ、ＬＡ、ＲＬ）の２つのリード（ＲＡ、ＲＬ）を介して、主モニタ計器２０１と通信するために利用可能な、センサ・インターフェイス・ドライバ３１８（直列型データ・ポート・ドライバの形をとることが望ましい）に接続される。ＡＳＩＣ３１０には、これらの機能を実施するための汎用非同期受信器・送信器が含まれていることが望ましい。
【００５１】
直列赤外線ポート３１５は、ＳＩＲプロトコルのサブセットを利用して通信を行う。このポートは、非誘導光通信リンク（unguided optical communications link）を確立するため、ポータブル・プロセッサ２１２に「照準を合わせる」こともできるし、あるいは、より堅牢な光学接続のため、光ファイバ・ケーブル２４４に取り付けることも可能である。こうした接続によって、ポータブル・プロセッサ２１２及びＭＰＸ２１０を物理的に結合して、着装携行式遠隔測定モード時に組み合わせて用いることが容易になる。
【００５２】
本発明特有の特徴において、センサ・インターフェイス３１８は、主モニタ計器２０１または補助モニタ計器２０２のような非バッテリ電源計器からＭＰＸ２１０を経て患者に達する電気経路を禁止することによって、患者の安全を確保する。また、センサ・インターフェイス３１８は、主モニタ計器２０１へ接続される導体の１つにおける電圧を検知する。この電圧を検知したとき、ＡＳＩＣ３１０だけが直列型データ・ドライバを患者のリードに接続する。これにより、既に患者に接続されているかもしれないセンサに不注意で直列型データを加えることによって患者に害を及ぼす、ということがなくなるという保証が得られる。
【００５３】
ＳｐＯ２モニタ・セクション３２１は、動脈血酸素飽和値、脈拍数、及び相対潅流を表すデータを発生する。ＳｐＯ２モニタ・セクション３２１は、ヒューレット・パッカード社、Nellcor、またはOhmedaから入手できるような、適切なＳｐＯ２センサ（図示せず）に直接接続される。
【００５４】
ＡＳＩＣ３１０に接続される追加回路には、４つのＥＣＧフロント・エンド３３１、３３２、３３３、３３４、バッテリ３４３、ＳｐＯ２モニタ電源回路３４４、主電源回路３４６、バッテリ・センス回路３４８、送信器電源回路３５２、電気的に消去可能なプログラマブル読み取り専用メモリ（ＥＥＰＲＯＭ）・チップの形をとることが望ましいプログラマブル・メモリ記憶装置３５４、デジタル信号プロセッサ（ＤＳＰ）チップ３５６、スタティック・ランダム・アクセス・メモリ（ＳＲＡＭ）の形をとることが望ましいスタティック・メモリ記憶装置３５８、無線周波数（ＲＦ）変調器３６２、及び無線周波数合成器３６４が含まれている。また、ＡＳＩＣ３１０には、それぞれが発光ダイオード（ＬＥＤ）・アレイの形をとるのが望ましい１組のリード・オフ・インジケータ３６６、及びＲＬリード・ドライバ回路３６８も接続されている。ＡＳＩＣ３１０は、ＥＣＧハードウェア、ナース・コール・ボタン、リード・オフ・インジケータに対するインターフェイスのタスクを取り扱い、またＡＳＩＣ３１０は、ＳｐＯ２回路３２１、主モニタ計器２２１、ＳＩＲポート３１５、及び２つの直列型ポート・ライン３１１との間で送受される信号を制御する。
【００５５】
ＥＥＰＲＯＭ３５４には、周波数、患者ＩＤ、及びシステム構成情報を納めるのが望ましい。ＥＥＰＲＯＭ３５４から直接ブートされることによって開始される全てのデータ処理タスクの実施がＤＳＰ３５６において行われることにより、将来のソフトウェアのアップグレードが直列型ポート・ライン３１１を介して容易に行える。
【００５６】
追加主ボード・ハードウェア・アーキテクチャには、下記が含まれる：ナース・コール・ボタン：ナース・コール・ボタン・ライン３７２は、記録の実行、ナース・コール・アラームの始動、または、技術者がＭＰＸ２１０と遠隔測定受信器２３２を整合させるのに用いることが可能なスプーフ・コーディング（spoof coding）として知られるような別の通信機能の実施を、ＡＳＩＣ３１０が行えるように構成することが可能である。
【００５７】
電源制御：ＡＳＩＣ３１０からの制御ラインは、後述のように、所定の電力サブセクションを選択的に停止させるように操作することが可能である。
【００５８】
内部電源：バッテリ３４３は、ＭＰＸ２１０がＳｐＯ２をモニタするように構成されていない場合は、アルカリ、亜鉛・空気、または、炭素・亜鉛による８．４または９ボルトのバッテリが用いられ、ＳｐＯ２が用いられる場合には、リチウム・バッテリが望ましい。
【００５９】
視覚インジケータ：発光ダイオードの形をとることが望ましい５つのインジケータ３６６がそれぞれ、リードに対応するそれぞれの電極の下に位置するように、ＭＰＸ２１０の外部に配置される。ＤＳＰ３４２は、リード線において状態の変化（例えば、リード・オフ状態）が生じると、適合するインジケータを作動させる。また、ＬＥＤの一部または全てを所定のパターンで作動させて、ＭＰＸが自己テストに失敗したことを表示したり、あるいはＳＩＲ３１５が受信する信号の強度を表示することも可能である。
【００６０】
電源：主電源セクション３４６は、バッテリ３４３からの電力を変換して、ＳｐＯ２電源セクション３４４、送信器電源サブセクション３５２、及びバッテリ・センス・サブセクション３４８に供給する線形またはスイッチ・モード電源である。さらにＭＰＸ２１０は、主電源セクション３４６に接続されたダイオードを介して、遠隔測定ドッキング・ステーション２１１またはセンサ２２０からの電力を供給することが可能である。例えば、主モニタ計器２０１が計器遠隔測定モードで用いられ、バッテリ３４３からの電力を節約して用いるべき場合には、ＲＬリードのシールドに最低９Ｖが存在すれば、主電源３４６はセンサ２２０からその電力を引き出すことになる。患者の分離は、患者と、主モニタ計器２０１からの電力との、両方に対する同時接続を防止することによって実施される。
【００６１】
バッテリ・センス・セクション：バッテリ・センス・セクション３４８は、ＡＳＩＣ３１０の制御下において、電源サブセクションの全てに対する制御を実施する。例えば、ＳｐＯ２モニタ機能、送信機能、ＥＣＧモニタ機能、または通信機能は、電力を節約するために、ＡＳＩＣ３１０によって個々に停止することが可能である。ＡＳＩＣ３１０はまた、バッテリ・センス・セクションからの信号に基づいて、「バッテリ要交換」または「ＬＯＷバッテリ」のような、ネットワーク２０５またはディスプレイ２５８に表示される警告メッセージを提示する。
【００６２】
バックチャネル受信器モジュール
図４には、図２のバックチャネル受信器モジュール２１３の特に望ましい実施例が示されている。ページング・バックチャネル受信器モジュール４０２は、現在のところ、３０〜５０メガヘルツ（ＭＨｚ）、１５０〜１７４ＭＨｚ、４５０〜５１２ＭＨｚ、または８００〜１０００ＭＨｚの範囲の周波数を含む、いくつかのページング送信周波数の周波数変調（ＦＭ）伝送信号を受信するのが望ましい。これらの伝送信号は、バックチャネル受信器モジュール４０２に一体化して取り付けるのが望ましいアンテナ４０４によって受信され、ミクサ４０８に送る前に、ＲＦフィルタ４０６によってフィルタリングが施される。フィルタリングを施されたＲＦ信号と混合されるオシレータ４１０の出力が、中間周波数（ＩＦ）フィルタ段４１２に対して送り出される。次に、フィルタリングを施されたＩＦ信号は、リミッタ／復調器段４１４及びデコーダ段４１６に受け渡される。デコードされた信号出力はデータ転送段４１８に送られ、データ及び電力コネクタ４２０を介してＭＰＸ２１０に転送される。
【００６３】
遠隔測定ドッキング・ステーションの詳細なアーキテクチャ
図５を参照すると、遠隔測定ドッキング・ステーション２１１のデータ及び電力取り扱い回路５０２には、ａ）ＭＰＸ２１０と、外部装置（ポータブル・プロセッサ２１２のような装置、及び主モニタ計器２０１及び補助モニタ計器２０２のような１つまたは複数のモニタ計器が望ましい）からのデータ経路とのインターフェイスを可能にする、第１と第２のデータ通信インターフェイス・セクション５１１、５１２と、ｂ）ＭＰＸ２１０またはポータブル・プロセッサ２１２のような装置が、外部電源からの分離され、調整された電力を受けることができるようにする、電力変換器セクション５２０及び電力変圧器セクション５２２と、ｃ）データ・プロトコルの翻訳及び他のデータ・インターフェイス機能を実施するための、マイクロプロセッサの形をとることが望ましい、データ処理セクション５２４とが含まれているのが理解できよう。遠隔測定ドッキング・ステーション２１１は、超小型コンポーネント及び回路を組み込むことによって、ポータブル・プロセッサ２１２またはポータブル・コンピュータ１１４に隣接して配置することが可能な、または取り付けることが可能な、コンパクトで携行式の装置として前記の機能をもたらすことができる。
【００６４】
ＤＣ入力パワー・ジャック５０４は、携行式医用電子装置の電力供給用として市販されているような、ＩＥＣ−６０１−１で医用に認可された装置として保証されている、従来のＡＣ・ＤＣ壁コンセント変換器から１２ＶＤＣを受ける。ＤＣアウト・ジャック５０６は、１２ＶＤＣをポータブル・プロセッサ２１２に供給する。第１の直列型インターフェイス回路５１１及び第２の直列型インターフェイス回路５１２は、それぞれの接続部ＲＸＡ、ＴＸＡ、及びＲＸＢ、ＴＸＢを備えている。第１と第２のインターフェイス回路５１１、５１２はまたそれぞれが、オプトカプラ５２１、５２２及び接続部ＲＸ２、ＴＸ２、ＲＸ１、及びＴＸ１を介してＭＰＸ２１０に結合される。
【００６５】
充電器から受ける１２ＶＤＣ電力は、第１と第２の線形調整器５３１、５３２を介して送られ、調整された電力はさらに、第１と第２の変圧器５４１、５４２の一次側に送られる前に、オシレータ５３４及び第１と第２の電界効果トランジスタ（ＦＥＴ）段５３６、５３８に送られる。線形調整器５４３、５４４、５４５、５４６は、変圧器５４１、５４２の出力を調整する。追加保護回路（図示せず）には、ヒューズ、あるいはブレーカを設けて、ＦＥＴまたはオシレータが故障した場合に、過剰なＤＣ電流を阻止したり、過渡抑制回路を設けて、入力ＤＣラインにおける電力サージ及び過渡現象を抑制することも可能である。こうして生じる電圧の一部は次の通りである。
８Ｖ：変圧器の一次側
５Ｖ：オシレータ５３４への電力
８ＶＡ：ＭＰＸ２１０への分離された電力
５ＶＡ：オプトカプラ５２１、５２２のローカル・サイドへの分離された電力
５ＶＢ：オプトカプラ５２１のリモート・サイドへの分離された電力
５ＶＣ：オプトカプラ５２２のリモート・サイドへの分離された電力
この例示の回路は、変圧器５４１、５４２を利用して、少なくとも６ｋＶの分離を可能にし、患者２１８と非バッテリ電源との間におけるバリア効果が得られるようにする。遠隔測定ドッキング・ステーション２１１はこのようにして、次の固有機能を提供する：
ａ）ＩＥＣ−６０１−１で医用に認可された壁充電器の利用による電力ラインの分離；
ｂ）分離された電源の利用による患者の分離；
ｃ）シリアル・データの光学的分離；
ｄ）ＭＰＸ２１０の全ての外部コネクタに引っ込んだピンを用いることによる細動除去。
【００６６】
望ましい実施例に関して本発明を詳細に例示し、解説してきたが、当該技術の熟練者であれば、本発明の精神及び範囲を逸脱することなく、以上の実施例に対して形態及び細部の変更を加えることが可能である。
【００６７】
【実施態様】
なお、本発明の実施態様の例を以下に示す。
【００６８】
〔実施態様１〕患者モニタ機能を果たすためのマルチポート送信器と、バックチャネル伝送信号を受信し、受信したバックチャネル伝送信号をそれぞれバックチャネル情報に変換して、前記バックチャネル情報を前記マルチポート送信器に供給する働きをするバックチャネル受信器モジュールとを含み、前記バックチャネル伝送信号が、ページング・ベースの通信チャネルの信号の形で受信されることを特徴とする、患者モニタ・システム。
【００６９】
〔実施態様２〕前記ページング・ベースの通信チャネルに、３０〜５０ＭＨｚの範囲から選択される周波数が含まれることを特徴とする、実施態様１に記載の患者モニタ・システム。
【００７０】
〔実施態様３〕ページング・ベースの通信チャネルに、１５０〜１７４ＭＨｚの範囲から選択される周波数が含まれることを特徴とする、実施態様１に記載の患者モニタ・システム。
【００７１】
〔実施態様４〕ページング・ベースの通信チャネルに、４５０〜５１２ＭＨｚの範囲から選択される周波数が含まれることを特徴とする、実施態様１に記載の患者モニタ・システム。
【００７２】
〔実施態様５〕ページング・ベースの通信チャネルに、８００〜１０００ＭＨｚの範囲から選択される周波数が含まれることを特徴とする、実施態様１に記載の患者モニタ・システム。
【００７３】
〔実施態様６〕それぞれが複数のノードを備えた通信ネットワークと、前記ノードの１つにおいて動作可能なページング送信システムとが設けられており、前記ページング送信システムは、バックチャネル伝送信号を送信するように操作可能であることを特徴とする、実施態様１に記載の患者モニタ・システム。
【００７４】
〔実施態様７〕前記ネットワークは、もう１つのノードに中央モニタ・ステーションを備えており、前記バックチャネル情報が、前記中央モニタ・ステーションから起こされることを特徴とする、実施態様１に記載の患者モニタ・システム。
【００７５】
〔実施態様８〕バックチャネル受信器モジュールが、マルチポート送信器に対して取り外し可能に取り付けることができることを特徴とする、実施態様１に記載の患者モニタ・システム。
【００７６】
〔実施態様９〕バックチャネル受信器モジュールが、マルチポート送信器に組み込まれることを特徴とする、実施態様１に記載の患者モニタ・システム。
【図面の簡単な説明】
【図１】本発明に従って構成されたフレキシブルな患者モニタ・システムの略図である。
【図２】本発明に従って構成されたフレキシブルな患者モニタ・システムの略図である。
【図３】図１及び図２に特徴を示すマルチポート遠隔測定送信器の主要部に関する略ブロック図である。
【図４】図１及び図２に特徴を示すバックチャネル受信器モジュールの略ブロック図である。
【図５】図１及び図２に特徴を示す遠隔測定ドッキング・ステーションの略ブロック図である。
【符号の説明】
Ｃ：メモリ・カード
Ｄ：データ経路
Ｌ：光ビーム
Ｐ：電力経路
１０１：主モニタ計器
１０２：補助モニタ計器
１１０：マルチポート送信器（ＭＰＸ）
１１１：遠隔測定ドッキング・ステーション
１１２：ポータブル・プロセッサ
１１３：バックチャネル受信器モジュール
１１４：ポータブル・コンピュータ
１１６：ナース・コール・ボタン
１１７：直列赤外線（ＳＩＲ）ポート
１１８：センサ・システム
１１９：データ処理及び信号伝送セクション
１２０Ａ：電力及びデータ・ポート
１２０Ｂ：電力及びデータ・ポート
１２１：光通信トランシーバ
１２２：光ファイバ・ケーブル
１２３：データ・ポート
１２３Ａ：電力及びデータ・ケーブル
１２４：電力入力ジャック
１２５：ＡＣ／ＤＣ変換器
１２６：電力調整回路
１２７：分離回路
１２８：コンピュータ電力＆データ・ポート
１３１Ａ：モニタ計器多心ケーブル
２０１：ベッド・サイド・モニタ
２０２：補助モニタ計器
２０３：遠隔測定受信システム
２０４：中央モニタ・ステーション
２０５：通信ネットワーク
２１０：マルチポート送信器（ＭＰＸ）
２１１：遠隔測定ドッキング・ステーション
２１２：ポータブル・プロセッサ
２１３：バックチャネル受信器モジュール
２１３Ａ：通信及び電力ポート
２１４：バックチャネル送信システム
２１４Ａ：バックチャネル・アンテナ
２１４Ｃ：バックチャネル通信コントローラ
２１４Ｘ：バックチャネル送信器
２１６Ａ：第１のモニタ・セクション
２１６Ｂ：第２のモニタ・セクション
２１８：患者
２２０：リード・セット
２２２：遠隔測定プロセッサ
２２４：周波数合成送信器
２２６：出力素子
２２８：受信素子
２３０：ネットワーク・コントローラ
２３２：遠隔測定受信器
２３３：遠隔測定受信器インターフェイス
２４０：Ｉ／Ｏセクション
２４０Ａ：直列赤外線（ＳＩＲ）
２４０Ｂ：直列型ポート
２４０Ｃ：直列型ポート
２４２：第１のＩ／Ｏセクション
２４４：光ケーブル
２４８：第２のＩ／Ｏセクション
２５０：電力分離セクション
２５２：電力調整セクション
２５６：Ｉ／Ｏセクション（ポータブル・プロセッサ）
２５８：ディスプレイ装置
２６０：キーボード
２６２：マイクロプロセッサ
２７０：バックチャネル受信器
２７２：受信アンテナ
３１０：アプリケーション専用集積回路（ＡＳＩＣ）
３１１：直列型ポート・ライン
３１２：コネクタ、ＰＣＭＣＩＡ
３１３：ＳＩＲライン
３１５：ＳＩＲポート
３１８：センサ・インターフェイス
３２１：ＳｐＯ２モニタ回路
３３１：ＥＣＧフロント・エンド
３４３：バッテリ
３４４：ＳｐＯ２電源サブセクション
３４６：主電源
３４８：バッテリ・センス・サブセクション
３５２：送信器電源セクション
３５４：電気的に消去可能なプログラマブル読み取り専用メモリ（ＥＥＰＲＯＭ）
３５６：デジタル信号プロセッサ（ＤＳＰ）
３５８：スタティック・ランダム・アクセス・メモリ（ＳＲＡＭ）
３６２：無線周波数（ＲＦ）変調器
３６４：周波数合成器
３６６：ＬＥＤ
３６８：ＲＬドライバ回路
３７２：ナース・コール・ボタン・ライン
４０２：ページング・バックチャネル受信器モジュール
４０４：アンテナ
４０６：ＲＦフィルタ段
４０８：ミクサ４０８
４１０：オシレータ
４１２：中間周波数（ＩＦ）フィルタ
４１４：リミッタ／変調器段
４１６：復号化段
４１８：データ転送段
４２０：データ及び電力コネクタ
５０２：データ及び電力取り扱い回路要素
５０４：ＤＣ入力ジャック
５０６：ＤＣ出力ジャック
５１１：第１の直列型インターフェイス回路
５１２：第２の直列型インターフェイス回路
５２０：電力変換セクション
５２２：電力変圧器セクション
５２４：データ処理セクション
５３１：第１の線形調整器
５３２：第２の線形調整器
５３４：オシレータ
５３６：第１の電界効果トランジスタ（ＦＥＴ）
５３８：第２のＦＥＴ
５４１：第１の変圧器の一次側
５４２：第２の変圧器の一次側
５４３：線形調整器
【図１】
0003817283.tif 000002
【図２】
0003817283.tif 000003
【図３】
0003817283.tif 000004
【図４】
0003817283.tif 000005
【図５】
0003817283.tif 000006